(57)【要約】 【課題】着座者に異物感を与えずに縫目を保護でき、また、目線角度によって縫製ラインの多様的見え方を実現させて意匠効果を得る。 【解決手段】二枚の表皮片１１、１２が、互いに表面１３、１４を重ね合わせて両方の縫い代１７、１８で縫い合わせられて、そして、その二枚の表皮片１１、１２の一方が、その両縫い代１７、１８側に折り曲げられ、その両縫い代１７、１８の縫い合わせ１９近傍で玉ぶち相当の筒状ビード２０に寄せ込まれ、そして、シングル・ステッチ２１でその両縫い代１７、１８上に縫いとじられる。 【選択図】図２
2006116060.tif 000002
【特許請求の範囲】
【請求項１】
二枚の表皮片が、互いに表面を重ね合わせて両方の縫い代で縫い合わせられて、そして、その二枚の表皮片の一方が、その両縫い代側に折り曲げられ、その両縫い代の縫い合わせ近傍で玉ぶち相当の筒状ビードに寄せ込まれ、そして、シングル・ステッチでその両縫い代上に縫いとじられるところの自動車シートに用いる表皮。 
【請求項２】
二枚の表皮片が、互いに表面を重ね合わせて両方の縫い代で縫い合わせられて、そして、その二枚の表皮片の一方が、その両縫い代側に折り曲げられ、その両縫い代の縫い合わせ近傍で裏面側に立体形状出し玉芯を挟み込んで寄せ込まれ、シングル・ステッチでその両縫い代上に縫いとじられ、そして、その玉芯を引き抜いて玉ぶち相当の筒状ビードを形成するところの自動車シートに用いる表皮。 
【発明の詳細な説明】
【技術分野】
【０００１】
この発明は、自動車シートに用いる表皮に関し、そして詳細には、縫い目の近傍に筒状ビードを形成してその縫い目を保護し、また、目線角度によって縫製ラインの多様的見え方を実現させて意匠効果を得るところの自動車シートに用いる表皮に関する。 
【背景技術】
【０００２】
自動車シートには、縫目に玉ぶちを付ける表皮が用いられる。その玉ぶちは芯材としての玉芯を入れて使用されるので、その芯材が着座者に異物感を与えた。 
【特許文献１】実用新案登録第２５９７４８０号公報
【発明の開示】
【発明が解決しようとする課題】
【０００３】
この発明の課題は、着座者に異物感を与えずに縫目を保護でき、また、目線角度によって縫製ラインの多様的見え方を実現させて意匠効果を得るところの自動車シートに用いる表皮の提供にある。 
【課題を解決するための手段】
【０００４】
この発明は、二枚の表皮片が、互いに表面を重ね合わせて両方の縫い代で縫い合わせられて、そして、その二枚の表皮片の一方が、その両縫い代側に折り曲げられ、その両縫い代の縫い合わせ近傍で玉ぶち相当の筒状ビードに寄せ込まれ、そして、シングル・ステッチでその両縫い代上に縫いとじられる。 
【０００５】
また、この発明は、二枚の表皮片が、互いに表面を重ね合わせて両方の縫い代で縫い合わせられて、そして、その二枚の表皮片の一方が、その両縫い代側に折り曲げられ、その両縫い代の縫い合わせ近傍で裏面側に立体形状出し玉芯を挟み込んで寄せ込まれ、シングル・ステッチでその両縫い代上に縫いとじられ、そして、その玉芯を引き抜いて玉ぶち相当の筒状ビードを形成する。 
【発明の効果】
【０００６】
この発明では、その筒状ビードがその二枚の表皮片のその両縫い代の縫い合わせ近傍でその二枚の表皮片の一方を寄せ込み、そして、シングル・ステッチでその両縫い代上にとじられて通常の玉ぶち相当に形成されるので、その筒状ビードから芯材が省かれて着座者に異物感が与えられずにその縫目やそのシングル・ステッチが保護され、さらに、目線角度によって縫製ラインが多様的に見えて、すなわち、その縫目ラインやそのシングル・ステッチ・ラインが見えて通常の玉ぶち相当の意匠効果が得られ、そして、自動車シートの外観品質向上が図られる。 
【発明を実施するための最良の形態】
【０００７】
二枚の表皮片が、互いに表面を重ね合わせて両方の縫い代で縫い合わせられ、そして、その二枚の表皮片の一方が、その両縫い代側に折り曲げられ、寄せ込みガイドを用いてその両縫い代の縫い合わせ近傍で玉ぶち相当の筒状ビードに寄せ込まれ、そして、シングル・ステッチでその両縫い代上に縫いとじられる。 
【実施例１】
【０００８】
以下、特定されて図示された具体例に基づいて、この発明の自動車シートに用いる表皮を説明するに、図１および図２は、乗用車のフロント・シートのシート・クッション３０に活用されるところのこの発明の自動車シートに用いる表皮の具体例１０を示し、そして、その表皮１０では、互いに隣り合う二枚の表皮片１１、１２が、互いに表面１３、１４を重ね合わせて両方の縫い代１７、１８で縫い合わせられ、そして、その二枚の表皮片１１、１２の一方が、その両縫い代１７、１８の側に折り曲げられ、寄せ込みガイド（図示せず）を用いてその両縫い代１７、１８の縫い合わせ１９の近傍で玉ぶち相当の筒状ビード２０に寄せ込まれ、そして、シングル・ステッチ２１でその両縫い代１７、１８の上に縫いとじられる。 
【０００９】
その表皮１０において、１５は裏面、そして、１６は裏面である。 
【００１０】
したがって、この表皮１０では、その筒状ビード２０がその二枚の表皮片１１、１２のその両縫い代１７、１８の縫い合わせ近傍でその二枚の表皮片１１、１２の一方を寄せ込み、そして、そのシングル・ステッチ２１でその両縫い代１７、１８の上に縫いとじられて通常の玉ぶち相当の形状に形成されるので、その筒状ビード２０から芯材が省かれて着座者に異物感が与えられず、そして、その縫目１９やそのシングル・ステッチ２１が保護され、さらに、目線角度によって縫製ラインが多様的に見えて、すなわち、その縫目ラインやそのシングル・ステッチ・ラインが見えて通常の玉ぶち相当の意匠効果が得られ、そして、そのフロント・シートの外観品質が向上される。 
【実施例２】
【００１１】
図３および４は、乗用車のフロント・シートのシート・クッション６０に活用されるところのこの発明の自動車シートに用いる表皮の具体例４０を示し、そして、その表皮４０では、二枚の表皮片４１、４２が、互いに表面４３、４４を重ね合わせて両方の縫い代４７、４８で縫い合わせられ、そして、その二枚の表皮片４１、４２の一方が、その両縫い代４７、４８の側に折り曲げられ、寄せ込み押し（図示せず）を用いてその両縫い代４７、４８の縫い合わせ４９の近傍で裏面４５の側に立体形状出し玉芯を挟み込んで寄せ込まれ、シングル・ステッチ５１でその両縫い代４７、４８の上に縫いとじられ、そして、その後に、その玉芯５２を引き抜いて玉ぶち相当の筒状ビード５０を形成する。 
【００１２】
その表皮４０において、４６は裏面である。 
【００１３】
したがって、この表皮４０では、その前述された表皮１０と同様に、その筒状ビード５０から芯材が省かれて着座者に異物感が与えられず、そして、その縫目４９やそのシングル・ステッチ５１が保護され、さらに、目線角度によって縫製ラインが多様的に見えて、すなわち、その縫目ラインやそのシングル・ステッチ・ラインが見えて通常の玉ぶち相当の意匠効果が得られ、そして、そのフロント・シートの外観品質が向上される。 
【００１４】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００１５】
上述から理解されるように、この発明の自動車シートに用いる表皮は、二枚の表皮片が、互いに表面を重ね合わせて両方の縫い代で縫い合わせられて、そして、その二枚の表皮片の一方が、その両縫い代側に折り曲げられ、その両縫い代の縫い合わせ近傍で玉ぶち相当の筒状ビードに寄せ込まれ、そして、シングル・ステッチでその両縫い代上に縫いとじられ、また、この発明の自動車シートに用いる表皮は、二枚の表皮片が、互いに表面を重ね合わせて両方の縫い代で縫い合わせられて、そして、その二枚の表皮片の一方が、その両縫い代側に折り曲げられ、その両縫い代の縫い合わせ近傍で裏面側に立体形状出し玉芯を挟み込んで寄せ込まれ、シングル・ステッチでその両縫い代上に縫いとじられ、そして、その玉芯を引き抜いて玉ぶち相当の筒状ビードを形成するので、この発明の自動車シートに用いる表皮では、その筒状ビードから芯材が省かれて着座者に異物感が与えられず、そして、その縫目やそのシングル・ステッチが保護され、さらに、目線角度によって縫製ラインが多様的に見えて、すなわち、その縫目ラインやそのシングル・ステッチ・ラインが見えて通常の玉ぶち相当の意匠効果が得られ、そして、そのフロント・シートの外観品質向上が図られ、その結果、自動車シートにとって非常に有用で実用的である。 
【図面の簡単な説明】
【００１６】
【図１】この発明の自動車シートに用いる表皮の具体例で覆われた乗用車のフロント・シートのシート・クッションを示した斜視図である。
【図２】図１の２−２線に沿って示した断面図である。
【図３】この発明の自動車シートに用いる表皮の具体例で覆われた乗用車のフロント・シートのシート・クッションを示した斜視図である。
【図４】立体形状出し玉芯を挟み込んでシングル・ステッチ掛け作業を示した断面図である。
【符号の説明】
【００１７】
１０    表皮 
１１    表皮片 
１２    表皮片 
１３    表面 
１４    表面 
１５    裏面 
１６    裏面 
１７    縫い代 
１８    縫い代 
１９    縫い合わせ／縫目 
２０    筒状ビード 
２１    シングル・ステッチ 
２２    表皮部分 
３０    シート・クッション 
４０    表皮 
４１    表皮片 
４２    表皮片 
４３    表面 
４４    表面 
４５    裏面 
４６    裏面 
４７    縫い代 
４８    縫い代 
４９    縫い合わせ／縫目 
５０    筒状ビード 
５１    シングル・ステッチ 
５２    立体形状出し玉芯 
６０    シート・クッション 
【図１】
2006116060.tif 000003
【図２】
2006116060.tif 000004
【図３】
2006116060.tif 000005
【図４】
2006116060.tif 000006